(57)【要約】【課題】アレルギー反応を継続的に検出することが可能な検出ユニット、検出ユニットを用いた検出装置、検出装置を用いた検出システムを提供する。【解決手段】検出ユニット７は、血液を採取して血液中のアレルギー反応物質を検出する検出ユニットであって、血液を採取する採取部７１と、採取した血液を血漿成分と血球成分とに分離する分離部７２と、分離した血漿成分に試薬を添加して混合させる添加部７３と、血漿成分と試薬とが混合された液体に、所定の光を照射する光照射部７４と、所定の光による液体からの光を検出して検出データを取得する光検出部７５と、検出の終了した液体を排出させるための排出部７６と、を備えている。【選択図】図４
2017156259.tif 000002
【特許請求の範囲】
【請求項１】
血液を採取して前記血液中のアレルギー反応物質を検出する検出ユニットであって、
前記血液を採取する採取部と、
採取した前記血液を血漿成分と血球成分とに分離する分離部と、
分離した前記血漿成分に試薬を添加して混合させる添加部と、
前記血漿成分と前記試薬とが混合された液体に、所定の光を照射する光照射部と、
前記所定の光による前記液体からの光を検出して検出データを取得する光検出部と、
検出の終了した前記液体を排出させるための排出部と、
を備えていることを特徴とする検出ユニット。
【請求項２】
請求項１に記載の検出ユニットであって、
前記採取部、前記分離部、前記添加部、及び前記排出部は、平板部材に構成され、
前記平板部材には、前記採取部、前記分離部、前記添加部、及び前記排出部を接続する流路を備えていることを特徴とする検出ユニット。
【請求項３】
請求項２に記載の検出ユニットであって、
前記流路は、前記添加部により混合された前記液体が流動する混合液流路部を備え、
前記光照射部で照射された前記光の光路は、前記混合液流路部を使用することを特徴とする検出ユニット。
【請求項４】
請求項３に記載の検出ユニットであって、
前記混合液流路部の内壁面には、前記光を反射させる反射部を備えていることを特徴とする検出ユニット。
【請求項５】
請求項３または請求項４に記載の検出ユニットであって、
前記光照射部と前記光検出部とは、前記混合液流路部の上流側および下流側のいずれかの近傍に配置されていることを特徴とする検出ユニット。
【請求項６】
請求項１〜請求項５のいずれか一項に記載の検出ユニットであって、
前記アレルギー反応物質はヒスタミンであり、前記試薬は誘導体化試薬となるＰＳＥであることを特徴とする検出ユニット。
【請求項７】
請求項１〜請求項６のいずれか一項に記載の検出ユニットと、
前記検出データを所定の装置に送信する送信部と、を備えることを特徴とする検出装置。
【請求項８】
請求項７に記載の検出装置であって、
前記検出データの取得は、前記アレルギー反応物質の存在時間以内の時間間隔で行われることを特徴とする検出装置。
【請求項９】
請求項７または請求項８に記載の検出装置であって、
時刻測定部を備え、前記時刻測定部で測定した時刻情報を前記検出データと共に送信することを特徴とする検出装置。
【請求項１０】
請求項７または請求項８に記載の検出装置であって、
位置特定装置を備え、前記位置特定装置による位置情報および時刻情報を前記検出データと共に送信することを特徴とする検出装置。
【請求項１１】
請求項７〜請求項１０のいずれか一項に記載の検出装置と、
前記検出装置から送信された前記検出データを受信する受信部、及び受信した前記検出データを処理して前記検出データと前記検出データに対応した環境データとを所定の記憶領域に記憶する処理部を有する第１処理装置と、
を備えることを特徴とする第１検出システム。
【請求項１２】
請求項１１に記載の第１検出システムであって、
前記第１処理装置は、位置特定装置を備え、前記位置特定装置による位置情報および時刻情報を含む前記環境データを取得することを特徴とする第１検出システム。
【請求項１３】
請求項１１または請求項１２に記載の第１検出システムであって、
前記検出データは、所定の位置情報により分類されて保存されることを特徴とする第１検出システム。
【請求項１４】
請求項１３に記載の第１検出システムであって、
前記所定の位置情報は、前記位置特定装置で取得した前記位置情報、または前記検出データと共に受信した前記位置情報を用いることを特徴とする第１検出システム。
【請求項１５】
請求項１１〜請求項１４のいずれか一項に記載の第１検出システムであって、
前記検出データの保存は、所定の前記アレルギー反応物質が検出された場合に行われることを特徴とする第１検出システム。
【請求項１６】
請求項１３〜請求項１５のいずれか一項に記載の第１検出システムであって、
前記検出データの保存は、前記所定の位置情報に対応して時系列に保存されることを特徴とする第１検出システム。
【請求項１７】
請求項１１〜請求項１６のいずれか一項に記載の複数の第１検出システムと、
前記複数の第１検出システムを構成する複数の前記第１処理装置と接続し、前記第１処理装置からの前記検出データ、前記環境データを受信して保存する第２処理装置と、
を備えることを特徴とする第２検出システム。
【請求項１８】
請求項１７に記載の第２検出システムであって、
前記第２処理装置は、受信した複数の前記検出データと前記環境データとにより、前記アレルギー反応物質が検出される位置領域を設定し、設定した前記位置領域をそれぞれの前記第１検出システムの前記第１処理装置に送信することを特徴とする第２検出システム。
【請求項１９】
請求項１８に記載の第２検出システムであって、
前記第１検出システムの前記第１処理装置は、取得する現在の位置情報が、前記第２処理装置から受信した前記位置領域の領域内に位置する場合、警報を発することを特徴とする第２検出システム。
【発明の詳細な説明】
【技術分野】
【０００１】
本発明は、アレルギー反応を検出する検出ユニット、検出ユニットを用いた検出装置、検出装置を用いた第１検出システム、及び第２検出システムに関する。
【背景技術】
【０００２】
従来、アトピー性皮膚炎などアレルギー疾患において、原因物質（アレルゲン）を特定するためにパッチテストやＩｇＥ（免疫グロブリンＥ）抗体検査が行われている。これらの検査は各病院で行われるか、専門の検査機関などにサンプルが送られて行われており、検査の結果がわかるまでには長い期間を要している。
【０００３】
特許文献１には、半導体レーザーを線状に広げて被検部に照射し、照射スポットをラインセンサー上に結像して走査信号を記憶する。そして、記憶されたデータを被検部とそれ以外の領域ごとに解析して血流値を求め、両者の比を表示することで血流増加率を数値化することで、アレルギー反応の度合いを精密に定量化できることが開示されている。
【先行技術文献】
【特許文献】
【０００４】
【特許文献１】特開２００４−２６７３０８号公報
【発明の概要】
【発明が解決しようとする課題】
【０００５】
アレルギー疾患の患者は、パッチテストやＩｇＥ抗体検査などにより、アレルゲンが何かという情報を得ることができる。しかしながら、アレルギー疾患の患者にとって、特定したアレルゲンとの接触をさけるためには、特定されたアレルゲンとどこで接触したかの情報が必要となる。しかし、前記検査方法ではどこで接触したかの情報は得られないため、患者は、日常生活において、アレルゲンへの接触が予想される行動や生活環境に対して、できる限りの対策を取ることが必要となる。また、その対策の効果を検証することは、再度同様の検査を行う必要があるが、日常生活に合せて都度検査を行うことは困難である。
従って、アレルギー反応を継続的に検出することが可能な検出ユニット、検出ユニットを用いた検出装置、検出装置を用いた検出システムが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係る検出ユニットは、血液を採取して血液中のアレルギー反応物質を検出する検出ユニットであって、血液を採取する採取部と、採取した血液を血漿成分と血球成分とに分離する分離部と、分離した血漿成分に試薬を添加して混合させる添加部と、血漿成分と試薬とが混合された液体に、所定の光を照射する光照射部と、所定の光による液体からの光を検出して検出データを取得する光検出部と、検出の終了した液体を排出させるための排出部と、を備えていることを特徴とする。
【０００８】
このような検出ユニットによれば、採取部、分離部、添加部、光照射部、光検出部、排出部により構成されることにより、一連の流れの中で、アレルギー反応物質を的確に検出することができ、また、アレルギー反応を継続的に検出することが可能な検出ユニットを実現することができる。なお、分離部で血球成分を除去するため、アレルギー反応物質が含まれる血漿成分に対して、血球成分による妨害を低減させることができるため、アレルギー反応物質の測定精度を高めることができる。また、添加部で、血漿成分に試薬を添加させることにより、試薬とアレルギー反応物質とを反応させるため、アレルギー反応物質が微量であっても高い精度で検出することができる。
【０００９】
［適用例２］上記適用例に係る検出ユニットにおいて、採取部、分離部、添加部、及び排出部は、平板部材に構成され、平板部材には、採取部、分離部、添加部、及び排出部を接続する流路を備えていることが好ましい。
【００１０】
このような検出ユニットによれば、平板部材に各構成部が構成され、平板部材に備える流路により、各構成部が接続される。このように、検出ユニットを平板部材に構成することができ、検出ユニットを小型化、チップ化することができる。これにより、検出ユニットを腕などに携帯する大きさとすることが容易となる。
【００１１】
［適用例３］上記適用例に係る検出ユニットにおいて、流路は、添加部により混合された液体が流動する混合液流路部を備え、光照射部で照射された光の光路は、混合液流路部を使用することが好ましい。
【００１２】
このような検出ユニットによれば、混合液流路部を光の光路として使用することにより、混合液を滞留させずに流動させながらアレルギー反応物質を検出することができ、アレルギー反応を継続的に検出することが可能となる。また、省スペースで検出することができる。
【００１３】
［適用例４］上記適用例に係る検出ユニットにおいて、混合液流路部の内壁面には、光を反射させる反射部を備えていることが好ましい。
【００１４】
このような検出ユニットによれば、混合液流路部の内壁面に、光を反射させる反射部を備えることにより、光照射部から照射される光と、混合液とが混合液流路部の領域内で接触する機会を増やすことで、光によるアレルギー反応物質の蛍光反応を高めることができる。そのため、アレルギー反応物質が微量の場合にも確実にアレルギー反応物質を検出することができる。また、反射部を備えない場合に比べて流路を短くすることができ、小型化を図ることができる。
【００１５】
［適用例５］上記適用例に係る検出ユニットにおいて、光照射部と光検出部とは、混合液流路部の上流側および下流側のいずれかの近傍に配置されていることが好ましい。
【００１６】
このような検出ユニットによれば、混合液流路部を光路として効率的に使用することができる。
【００１７】
［適用例６］上記適用例に係る検出ユニットにおいて、アレルギー反応物質はヒスタミンであり、試薬は誘導体化試薬となるＰＳＥであることが好ましい。
【００１８】
このような検出ユニットによれば、試薬として誘導体化試薬となるＰＳＥを用いてアレルギー反応物質のヒスタミンと反応させることにより、光照射部から所定の光を照射することで、反応したヒスタミンは蛍光を発する。この光を光検出部で検出することで検出データを高精度に取得することができる。なお、ヒスタミンは、即時型アレルギー反応による生産物質であり体内を循環して半減期の短い物質である。従って、このヒスタミンを効率よく検出することで、即時型アレルギー反応による疾患の予防に対応させることができる。
【００１９】
［適用例７］本適用例に係る検出装置は、上述したいずれかの検出ユニットと、検出データを所定の装置に送信する送信部と、を備えることを特徴とする。
【００２０】
このような検出装置によれば、検出ユニットでアレルギー反応物質を検出して検出データを取得し、送信部で検出データを所定の装置に送信する。これにより、アレルギー反応を継続的に検出できる検出装置を実現することができる。
【００２１】
［適用例８］上記適用例に係る検出装置において、検出データの取得は、アレルギー反応物質の存在時間以内の時間間隔で行われることが好ましい。
【００２２】
このような検出装置によれば、検出データの取得は、アレルギー反応物質の存在時間以内の時間間隔で行われることにより、アレルギー反応物質が消滅（分解）しない時間内で、アレルギー反応物質を効率的に測定することができる。
【００２３】
［適用例９］上記適用例に係る検出装置において、時刻測定部を備え、時刻測定部で測定した時刻情報を検出データと共に送信することが好ましい。
【００２４】
このような検出装置によれば、時刻測定部を備えて測定した時刻情報を、検出データと共に送信することにより、検出データと、検出データを取得した時の時刻情報とを関連付けることができる。また、受信側となる所定の装置が、動作をしていない（電池切れ等）場合にも、検出装置側に時刻情報と検出データとを持っているため、その後の対応を取ることができ、検出データを無駄にすることが無い。
【００２５】
［適用例１０］上記適用例に係る検出装置において、位置特定装置を備え、位置特定装置による位置情報および時刻情報を検出データと共に送信することが好ましい。
【００２６】
このような検出装置によれば、位置特定装置を備えることにより、検出データと、検出データを取得した時の位置情報および時刻情報とを関連付けることができる。また、受信側となる所定の装置が、動作をしていない（電池切れ等）場合にも、検出装置側に検出データ、位置情報および時刻情報を持っているため、その後の対応を取ることができ、検出データを無駄にすることが無い。ここで、位置特定装置とは、例えばＧＰＳ（Global Positioning System）である。
【００２７】
［適用例１１］本適用例に係る第１検出システムは、上述したいずれかの検出装置と、検出装置から送信された検出データを受信する受信部、及び受信した検出データを処理して検出データと検出データに対応した環境データとを所定の記憶領域に記憶する処理部を有する第１処理装置と、を備えることを特徴とする。
【００２８】
このような第１検出システムによれば、検出装置と第１処理装置とでシステムを構成することにより、第１処理装置では、検出装置から送信された検出データを受信部で受信し、受信した検出データを処理部で処理して検出データと検出データに対応した環境データとを所定の記憶領域に記憶する。これにより、検出装置から送信される検出データと、検出データに対応する環境データ（例えば、時刻情報、位置情報）とを関連付けることが可能となる。
【００２９】
［適用例１２］上記適用例に係る第１検出システムにおいて、第１処理装置は、位置特定装置を備え、位置特定装置による位置情報および時刻情報を含む環境データを取得することが好ましい。
【００３０】
このような第１検出システムによれば、位置特定装置により、検出データと関連付けるための環境データ（時刻情報、位置情報）を容易に取得することができる。
【００３１】
［適用例１３］上記適用例に係る第１検出システムにおいて、検出データは、所定の位置情報により分類されて保存されることが好ましい。
【００３２】
このような第１検出システムによれば、検出データが所定の位置情報により分類されることで、例えば、領域毎に検出データが分類される場合、領域毎の検出データを確認することで、アレルギー反応が生じることが多い領域を確認すること等ができる。
【００３３】
［適用例１４］上記適用例に係る第１検出システムにおいて、所定の位置情報は、位置特定装置で取得した位置情報、または検出データと共に受信した位置情報を用いることが好ましい。
【００３４】
このような第１検出システムによれば、所定の位置情報は、位置特定装置で取得した位置情報を用いることでもよいし、検出データと共に受信した位置情報を用いることでもよい。特に、検出データと共に受信した位置情報を用いることにより、第１処理装置が動作していなかった（例えば、電源が入っていなかった）場合にも、検出データと位置情報とを欠損なく取得することができる。
【００３５】
［適用例１５］上記適用例に係る第１検出システムにおいて、検出データの保存は、所定のアレルギー反応物質が検出された場合に行われることが好ましい。
【００３６】
このような第１検出システムによれば、所定のアレルギー反応物質が検出された場合に検出データを保存することにより、検出データを全て保存する場合に比べ、記憶容量を少なくすることができる。また、所定のアレルギー反応物質が検出された検出データと、その時の時刻情報や位置情報とを関連付けることで、所定のアレルギー反応物質によるアレルギー疾患を予防させることができる。
【００３７】
［適用例１６］上記適用例に係る第１検出システムにおいて、検出データの保存は、所定の位置情報に対応して時系列に保存されることが好ましい。
【００３８】
このような第１検出システムによれば、所定の位置情報（例えば、ある領域毎）に対応して時系列で検出データが保存されることで、その領域での検出データを時系列で確認や比較を行うことができる。
【００３９】
［適用例１７］本適用例に係る第２検出システムは、上述したいずれかの複数の第１検出システムと、複数の第１検出システムを構成する複数の第１処理装置と接続し、第１処理装置からの検出データ、環境データを受信して保存する第２処理装置と、を備えることを特徴とする。
【００４０】
このような第２検出システムによれば、複数の第１検出システムと、第２処理装置とでシステムが構成され、第２処理装置では、複数の第１処理装置と接続し、それぞれの第１処理装置からの検出データ、環境データを受信して保存する。これにより、複数の第１検出システムで得られた検出データや環境データを、第２処理装置に保存することができる。
【００４１】
［適用例１８］上記適用例に係る第２検出システムにおいて、第２処理装置は、受信した複数の検出データと環境データとにより、アレルギー反応物質が検出される位置領域を設定し、設定した位置領域をそれぞれの第１検出システムの第１処理装置に送信することが好ましい。
【００４２】
このような第２検出システムによれば、複数の第１検出システムで得られた検出データや環境データに基づいて、アレルギー反応物質が検出される位置領域（設定した位置領域）を第１検出システム（第１処理装置）に送信することで、第２検出システムを使用する使用者に対して、他の使用者のデータも含めたアレルギー発症場所を予め知らせることが可能となる。
【００４３】
［適用例１９］上記適用例に係る第２検出システムにおいて、第１検出システムの第１処理装置は、取得する現在の位置情報が、第２処理装置から受信した位置領域の領域内に位置する場合、警報を発することが好ましい。
【００４４】
このような第２検出システムによれば、第２検出システムを使用する使用者に対して、警報することで、現在の位置が、アレルギー反応物質が検出される位置領域内であり、アレルギー症状を発症しやすい位置（アレルゲンに接触する可能性が大きい場所）であることを認識させることができる。
【図面の簡単な説明】
【００４５】
【図１】第１実施形態に係る検出装置の概断面図。
【図２】第１検出システムの概構成を示す図。
【図３】第１検出システムの概構成を示す図。
【図４】検出ユニットの概構成を示す斜視図。
【図５】検出ユニットの概構成を示す平面図。
【図６】ヒスタミンのエキシマー蛍光誘導体化を説明する図。
【図７】第１検出システムでの動作を示すフローチャート。
【図８】第２実施形態に係る第１検出システムでの動作を示すフローチャート。
【図９】第３実施形態に係る第１検出システムでの動作を示すフローチャート。
【図１０】第４実施形態に係る第２検出システムの概構成を示す図。
【図１１】第５実施形態に係る検出ユニットの概構成を示す図。
【図１２】第６実施形態に係る検出ユニットの概構成を示す図。
【発明を実施するための形態】
【００４６】
以下、実施形態に関して図面に基づいて説明する。
【００４７】
〔第１実施形態〕
図１は、本実施形態に係る検出装置１の概断面図である。図２、図３は、第１検出システム３の概構成を示す図である。なお、図２では、第１検出システム３を構成する検出装置１と第１処理装置２とを示し、図３では、検出装置１を構成するブロック図も併せて示している。図４は、検出ユニット７の概構成を示す斜視図である。図５は、検出ユニット７の概構成を示す平面図である。なお、図４は、検出ユニット７のベース基板７０側とカバー部材７８側とを分けた斜視図としている。また、図５は、カバー部材７８を取り去ったベース基板７０側の平面図としている。
【００４８】
図１〜図３に示すように本実施形態の検出装置１は、アレルギー反応物質を検出する装置である。検出装置１は、人間の皮膚（例えば腕）表面６０に装着して使用される。なお、本実施形態の検出装置１は、人間の皮膚表面６０に装着した際、血液を採取するための採血針７１１が皮膚内部に穿刺される。検出装置１は、本実施形態では、アレルギー反応により産生されるアレルギー反応物質を検出する。
【００４９】
検出装置１は、図２、図３に示すように、概略、測定部１１と送信部１５とで構成されている。測定部１１は、制御部１１１、光照射部７４、光検出部７５、Ａ/Ｄ変換部１１４等を備えて構成されている。また、測定部１１は、平板状に構成される検出ユニット７（図４、図５）を備えている。そして、この検出ユニット７内部に、光照射部７４や光検出部７５を含め、アレルギー反応物質を検出するための後述する各構成部が形成されている。また、検出装置１は、ケース１０１と粘着パッド１０２とを備えている。ケース１０１は、測定部１１、送信部１５等を内部に収容する。粘着パッド１０２は、粘着面を有し、各構成部を収容したケース１０１を皮膚表面６０に固定する。
【００５０】
図４、図５を参照して、検出ユニット７に関して説明する。
検出ユニット７は、血液を採取し、採取した血液中のアレルギー反応物質を検出するためのユニットである。検出ユニット７は、採取部７１、分離部７２、添加部７３、光照射部７４、光検出部７５、排出部７６、流路７７等で概略構成されている。検出ユニット７は、矩形状の板状に構成されている。検出ユニット７は、矩形状の平板部材となるベース基板７０に、上記各構成部（採取部７１〜排出部７６、流路７７）が溝状に構成されている。
【００５１】
本実施形態では、平板部材（ベース基板７０）としてガラス基板を用いている。そのガラス基板にマスキング等を施して所定の形状となるようにエッチングすることにより、採取部７１〜排出部７６、および流路７７を形成している。なお、検出ユニット７は、流路７７により、採取部７１、分離部７２、添加部７３、排出部７６が接続される構成となる。
【００５２】
図４、図５に示すように、採取部７１は、血液を採取する部分である。採取部７１は、矩形状の溝状に形成され、採取した血液が貯留される血液貯留部７１２を備えている。血液貯留部７１２の中央部には、棒状で先端が尖った採血針７１１が固定されている。採血針７１１の中心軸部には血液を流入させる流路（採血流路７１１ａ）が形成されている。なお、採血針７１１が皮膚に穿刺された場合、血液は、毛細血管等を含めた体内の圧力により採血流路７１１ａを血液貯留部７１２に向けて流動する。そして、採血針７１１により採血された血液は血液貯留部７１２に貯留される。
【００５３】
分離部７２は、採血した血液を血球成分（赤血球、白血球、血小板等）と血漿成分（水分、血漿蛋白質、その他微量の脂肪、糖、無機塩類等）とに分離する部分である。分離部７２は、血液貯留部７１２に隣接して矩形状の溝状に形成される。分離部７２には、フィルター７２１が設置されている。このフィルター７２１により、血液を血漿成分と血球成分とに分離する。詳細には、フィルター７２１は、血液貯留部７１２から流れてくる血液に対して、血球成分を留め、血漿成分を通過させて流路７７に流す働きを行う。
【００５４】
添加部７３は、分離部７２で分離した血漿成分に試薬を添加して混合させる部分である。添加部７３は、流路７７に接続して矩形状の溝状に形成される試薬貯留部７３１を備えている。試薬貯留部７３１には、本実施形態では、誘導体化試薬となるＰＳＥ（4-（1-Pyrene）butanoic acid N-hydroxysuccinimidyl ester）が貯留されている。
【００５５】
本実施形態の検出装置１は、アレルギー反応物質としてヒスタミンを検出している。そして、このヒスタミンを検出する方法として、ＰＳＥをエキシマー蛍光誘導体化試薬とするエキシマー蛍光法を利用している。
【００５６】
図６は、ヒスタミンのエキシマー蛍光誘導体化を説明する図である。
図６を参照して、ヒスタミンの誘導体化に関して概略説明する。
ヒスタミン分子Ａは、分子内に２個のアミノ基を有している。このヒスタミン分子Ａの第１アミンと第２アミンは、ＰＳＥと反応することで誘導体化される。そして、誘導体化されたヒスタミン分子Ｂに励起光が照射されると、ヒスタミン分子Ｂ内に存在する２か所の蛍光団α，βの間では、強いエキシマー蛍光を発する。
【００５７】
なお、励起光として波長λ＝３４５ｎｍの光を誘導体化したヒスタミン分子Ｂに照射することにより、ヒスタミン分子Ｂは、エキシマー蛍光として波長λ＝４７５ｎｍ付近の蛍光を発する。本実施形態では、後述する光照射部７４により励起光を照射し、励起光による蛍光を、後述する光検出部７５で検出することで、ヒスタミンを検出している。
【００５８】
図４、図５に戻り、添加部７３は、試薬貯留部７３１に貯留するＰＳＥが、分離部７２で分離されて流路７７に流出した血漿成分に、試薬貯留部７３１の流路接続部付近の流路７７（図５に示す領域Ａ）内で、添加されて混合される。そして、ＰＳＥが添加・混合された液体としての血漿成分は、流路７７を流動して光照射部７４に至る。
【００５９】
光照射部７４は、試薬が混合されて流路７７を流動する血漿成分に、励起光としての光を照射する部分である。光照射部７４は、光検出部７５の上流側（後述する混合液流路部７７１の上流側の近傍）に配置される。また、光検出部７５は、励起光により血漿成分中のヒスタミン分子Ｂが発する蛍光を検出する部分である。光検出部７５は、光照射部７４の下流側（後述する混合液流路部７７１の下流側の近傍）に配置される。
【００６０】
光照射部７４は、励起光を射出する発光素子７４１を備えている。発光素子７４１は、ベース基板７０に形成される発光素子収容部７４０に収容されている。本実施形態の発光素子７４１は、所定の光として、波長λ＝３４５ｎｍの光を射出するレーザーダイオードが用いられている。なお、光照射部７４は、発光素子７４１を駆動する発光素子駆動部（図示省略）を備えている。発光素子駆動部は、制御部１１１等が実装される回路基板（図示省略）上に実装され、電気的に発光素子７４１と接続されている。
【００６１】
光検出部７５は、蛍光を受光する受光素子７５１を備えている。受光素子７５１は、ベース基板７０に形成される受光素子収容部７５０に収容されている。本実施形態の受光素子７５１は、混合された血漿成分からの光を検出（受光）するフォトダイオードが用いられている。なお、フォトダイオードの前面には、図示省略するダイクロイックミラー等が設置されており、受光する光に対して波長λ＝４７５ｎｍ近辺の光を選択的に透過させ、その他の不要な光は反射させている。これにより、受光素子７５１は、波長λ＝４７５ｎｍ付近の光を受光する。
【００６２】
本実施形態では、発光素子７４１の照射位置から受光素子７５１の受光位置に至る領域に相対する流路７７の領域を混合液流路部７７１として構成している。従って、混合液流路部７７１を流動するＰＳＥが混合された血漿成分に、発光素子７４１からの照射光を照射して、血漿成分中のヒスタミン分子Ｂの発する蛍光を受光素子７５１が受光する。従って、本実施形態では、光照射部７４から照射される光の光路は、混合液流路部７７１を使用する構成となる。
【００６３】
また、混合液流路部７７１は、流路内壁面に照射光を反射させる反射部７７２を備えている。なお、反射部７７２は、図４に示すように、ベース基板７０だけではなく、ベース基板７０の各構成部を塞ぐ、後述するカバー部材７８においても、混合液流路部７７１に相対する領域の表面に反射部７７２が形成される。従って、混合液流路部７７１は、流路内壁面全体に反射部７７２が形成される。言い換えると、混合液流路部７７１は、カバー部材７８も含めて、反射部７７２により囲まれる状態となっている。反射部７７２は、本実施形態では、スパッタリング等により形成されるアルミニウム薄膜を備えている。なお、発光素子７４１からの光が入射する混合液流路部７７１の領域と、蛍光が受光素子７５１に入射する混合液流路部７７１の領域とには、反射部７７２は形成されない。
【００６４】
本実施形態では、発光素子７４１から射出された光は、例えば、図５に模式的に示すように、反射部７７２で反射しながら混合液流路部７７１の内部を下流側に進む。そして、受光素子７５１により蛍光が受光される。なお、反射部７７２は、照射光とヒスタミン分子Ｂとの接触の機会を増やすためであり、また、照射光や蛍光が混合液流路部７７１から外部に漏れることを防止している。
【００６５】
排出部７６は、検出が終了した液体（検出が終了したＰＳＥが混合された血漿成分）を排出させるための部分である。排出部７６は、流路７７に接続して矩形状の溝状に形成される混合液貯留部７６１を備えている。
【００６６】
上述したように検出ユニット７は、ベース基板７０に各構成部が構成される。そして、各構成部を上方（各構成部が構成される側）から塞ぐように、薄板状のカバー部材７８がベース基板７０に接合される。なお、カバー部材７８は、本実施形態では、ガラス板を用いている。
以上のように、検出ユニット７が形成される。
【００６７】
なお、本実施形態の検出装置１は、装着期間を数日（３日程度）としており、数日経過後には、新たな検出装置１に取り替えて装着する仕様となっている。そのため、試薬貯留部７３１および混合液貯留部７６１は、数日間の動作を保障する容量を備えている。
【００６８】
図３に戻り、検出装置１は、制御部１１１の指示により、光照射部７４を動作させ、光検出部７５で、ヒスタミン分子Ｂの蛍光による光を検出して検出データを取得する。取得した検出データは、Ａ/Ｄ変換部１１４で数値データに変換される。Ａ/Ｄ変換部１１４で変換された検出データは、送信部１５を介して、図２、図３に示すように、所定の装置としての第１処理装置２に送信される。
【００６９】
なお、検出装置１は、図示省略するタイマーを備えており、所定間隔で検出データを取得する。所定間隔として、本実施形態では、５分以内の間隔に設定されている。例えば、５分間隔で検出データを取得する。検出装置１は、上述したように、本実施形態では、アレルギー反応物質であるヒスタミンを検出している。なお、ヒスタミンは、即時型アレルギー反応において最終的に産生され、血管を拡張するなどして痒みや赤みを帯びるなどの疾患症状を直接的に引き起こす物質であり、体内中（血液中）を循環し、発生から約５分程度で消滅（分解）することが知られている。そのため、本実施形態では、アレルギー反応物質の存在時間以内の時間間隔として５分間隔で検出する仕様としている。しかし、存在時間以内の時間間隔に設定するのであれば、５分間隔には限定されない。
【００７０】
即時型アレルギー反応となる疾患としては、蕁麻疹、ＰＩＥ（Pulmonary infiltration of eosinophilia）症候群、食物アレルギー、花粉症、アレルギー性鼻炎、気管支喘息、アトピー性皮膚炎、アナフィラキシーショック等が挙げられる。
【００７１】
本実施形態の第１検出システム３は、図２、図３に示すように、検出装置１と第１処理装置２とで構成されている。検出装置１は取得した検出データを、無線通信により、第１処理装置２に送信する。なお、送信部１５は、第１処理装置２との間で、無線通信を行うことができるものであれば、ＮＦＣ（Near Field Communication）、Ｂｌｕｅｔｏｏｔｈ（登録商標）規格やＷｉ-Ｆｉ（登録商標）規格などを利用した近距離無線通信、ＣＤＭＡ２０００方式、Ｗ-ＣＤＭＡ方式、ＬＴＥ（Long Term Evolution）方式などの携帯電話回線を利用した無線データ通信などを行える適宜の無線通信モジュールを使用することができる。
【００７２】
第１処理装置２は、携帯型のいわゆるスマートフォン、タブレット、ＰＣ（パーソナルコンピューター）等で構成され、検出装置１を使用する使用者が検出装置１と共に携帯する。第１処理装置２は、受信部や処理部（いずれも図示省略）を備えている。受信部は、検出装置１から送信された検出データを受信し、処理部は、受信した検出データを処理し、検出データと検出データに対応した環境データ（例えば、後述する時刻情報や位置情報）とを所定の記憶領域に記憶する。なお、第１検出システム３は、第１処理装置２に備わる処理部（ＣＰＵ：Central Processing Unit）上で実行されるコンピュータープログラムによって、検出装置１から送信される検出データに対して処理を行う。
【００７３】
図７は、第１検出システム３での動作を示すフローチャートである。
図７に示すように、プログラムの実行が開始された場合、第１処理装置２は、検出装置１から送信される検出データの受信を開始し、検出データが送信されるのを待機（ステップＳ２０１：ＮＯ）する。検出データを受信した場合（ステップＳ２０１：ＹＥＳ）、次に、位置情報・時刻情報の取得を行う（ステップＳ２０２）。ここで、第１処理装置２は、位置特定装置としての図示省略するＧＰＳ（Global Positioning System）を備えている。そして、このＧＰＳを動作させることにより、現在の位置情報と、併せて現在の時刻情報を取得する。
【００７４】
次に、受信した検出データが、アレルギー反応物質を検出した場合のデータか否かを判断するための、検出データの確認（以降、アレルギー反応の確認と称する）を行う（ステップＳ２０３）。アレルギー反応の確認は、基礎データと、受信した検出データとを比較処理することで行われる。なお、基礎データとは、アレルギー反応が生じた場合に得られる光量のデータであり、基礎データとして記憶領域に保持している。
【００７５】
また、本実施形態では、詳細には、基礎データとして、アレルギー反応が生じたと判断する最低レベルの光量のデータと、アレルギー反応が中程度以上の反応であると判断するレベルの光量のデータとの２つの基礎データを保持している。言い換えると、アレルギー反応で産生されたヒスタミンの濃度を判断する。なお、ステップＳ２０３では、最低レベルの光量のデータと、受信した検出データとを比較して、受信した検出データが、アレルギー反応物質を検出した場合のデータか否かを判断する。
【００７６】
アレルギー反応の確認（ステップＳ２０３）の結果、検出データがアレルギー反応によるデータでは無い（アレルギー反応が無い：アレルギー反応による最低レベルの基礎データより小さい）場合（ステップＳ２０４：ＮＯ）には、保存せずにステップＳ２０１に戻る。検出データがアレルギー反応によるデータである（アレルギー反応が有る：アレルギー反応による最低レベルの基礎データより大きい）場合（ステップＳ２０４：ＹＥＳ）には、次に、アレルギー反応レベルの確認を行う（ステップＳ２０５）。
【００７７】
アレルギー反応レベルの確認（ステップＳ２０５）は、アレルギー反応が中程度以上の反応であると判断するレベルの光量のデータ（基礎データ）と、検出データとを比較して、検出データのアレルギー反応レベルを判断する。次に、データ解析を行う（ステップＳ２０６）。なお、ステップＳ２０５のアレルギー反応レベルの確認が、検出データからアレルギー反応物質の濃度を判断するステップとなる。
【００７８】
データ解析（ステップＳ２０６）を行うことにより、検出データや取得した時刻情報は、所定の位置情報に基づいて分類される。詳細には、本実施形態では、取得した位置情報による位置を中心として所定の半径（例えば１０ｍ）により領域（位置領域）を設定する。そして、設定した領域に対して、検出データ（本実施形態ではアレルギー反応レベル）や取得した時刻情報を関連付けて分類する。なお、領域が設定された後には、次回からの検出データが、この領域の範囲内に位置する場合には、この領域に対応する検出データ、時刻情報として関連付け、分類して処理される。
【００７９】
また、次回からの検出データが、この領域の範囲外に位置する場合には、この位置を含む新たな領域が設定され、その新たな領域に対して、検出データ（アレルギー反応レベル）や取得した時刻情報を関連付けて分類する。言い換えると、位置情報を基に、領域毎に検出データ（時刻情報）を分類する。なお、第１処理装置２に液晶パネルやＥＬ（Electro Luminescence）素子等で構成される表示部を備える場合には、表示部を介して、領域毎に時系列でアレルギー反応が有ったことを表示させることができる。なお、本実施形態では、例えば、アレルギー反応が有った場合に、検出データの表示として、そのアレルギー反応レベルに対応して表示される。詳細には、例えば、検出データの表示として、中程度のレベルより小さい場合「○」と表示し、中程度のレベル以上の場合「◎」と表示される。
【００８０】
次に、ステップＳ２０７に移行して、データ解析された検出データ、位置情報、および時刻情報を保存（データ保存）する。その後は、ステップＳ２０１に戻り、検出データを待つ状態に移行する。
【００８１】
上述した実施形態によれば、以下の効果が得られる。
（１）本実施形態の検出ユニット７は、採取部７１、分離部７２、添加部７３、光照射部７４、光検出部７５、排出部７６により構成されることにより、一連の流れの中で、アレルギー反応物質を的確に検出することができ、また、アレルギー反応を継続的に検出することが可能な検出ユニット７を実現することができる。なお、分離部７２で血球成分を除去するため、アレルギー反応物質が含まれる血漿成分に対して、血球成分による妨害を低減させることができるため、アレルギー反応物質の測定精度を高めることができる。また、添加部７３で、血漿成分に試薬を添加させることにより、試薬とアレルギー反応物質とを反応させるため、アレルギー反応物質が微量であっても高い精度で検出することができる。
【００８２】
（２）本実施形態の検出ユニット７において、採取部７１、分離部７２、添加部７３、排出部７６は、平板部材（ベース基板７０）に構成される。また、ベース基板７０に備える流路７７により、採取部７１、分離部７２、添加部７３、排出部７６が接続されることにより、検出ユニット７の要部をベース基板７０に構成することができ、検出ユニット７を小型化、チップ化することができる。これにより、検出ユニット７を腕などに携帯する大きさとすることが容易となる。
【００８３】
（３）本実施形態の検出ユニット７によれば、混合液流路部７７１を光の光路として使用することにより、混合液を滞留させずに流動させながらアレルギー反応物質を検出することができ、アレルギー反応を継続的に検出することが可能となる。また、省スペースで検出することができる。
【００８４】
（４）本実施形態の検出ユニット７によれば、混合液流路部７７１の内壁面に、光を反射させる反射部７７２を備えることにより、光照射部７４から照射される光と、混合液中のヒスタミン分子Ｂとが混合液流路部７７１の領域内で接触する機会を増やすことで、光によるアレルギー反応物質の蛍光反応を高めることができる。そのため、アレルギー反応物質が微量の場合にも確実にアレルギー反応物質を検出することができる。また、反射部７７２を備えない場合に比べて流路を短くすることができ、小型化を図ることができる。
【００８５】
（５）本実施形態の検出ユニット７によれば、光照射部７４は混合液流路部７７１の上流側の近傍に配置され、光検出部７５は、混合液流路部７７１の下流側の近傍に配置されていることにより、混合液流路部７７１を光路として効率的に使用することができる。
【００８６】
（６）本実施形態の検出ユニット７によれば、試薬として誘導体化試薬となるＰＳＥを用いてアレルギー反応物質のヒスタミンと反応させることにより、光照射部７４から所定の光を照射することで、反応したヒスタミンは蛍光を発する。この光を光検出部７５で検出することで検出データを高精度に取得することができる。なお、ヒスタミンは、即時型アレルギー反応による生産物質であり体内を循環して半減期の短い物質である。従って、このヒスタミンを効率よく検出することで、即時型アレルギー反応による疾患の予防に対応させることができる。また、蛍光を利用して測定するため、電気的な測定方法と比較して即時型アレルギー反応に対応でき、検出ユニット７の安定性を向上させることができる。
【００８７】
（７）本実施形態の検出装置１によれば、皮膚表面６０に装着して、検出ユニット７を含む測定部１１でアレルギー反応物質を測定して検出データを取得し、送信部１５で検出データを第１処理装置２に送信する。これにより、アレルギー反応を継続的に検出できる検出装置１を実現することができる。
【００８８】
（８）本実施形態の検出装置１によれば、検出データの取得は、アレルギー反応物質の存在時間以内の時間間隔（本実施形態では５分間隔）で行われることにより、アレルギー反応物質が消滅（分解）しない時間内で、アレルギー反応物質を効率的に測定することができる。
【００８９】
（９）本実施形態の第１検出システム３によれば、検出装置１と第１処理装置２とでシステムを構成することにより、第１処理装置２では、検出装置１から送信された検出データを受信部で受信し、処理部（ＣＰＵ）で、受信した検出データを処理し、検出データと検出データに対応した環境データ（時刻情報、位置情報）とを所定の記憶領域に記憶する。これにより、検出装置１から送信される検出データと、検出データに対応する環境データとを関連付けることが可能となる。これにより、使用者に対して、アレルゲンの存在する場所や時間を明らかにすることができる。
【００９０】
（１０）本実施形態の第１検出システム３によれば、第１処理装置２に備わるＧＰＳにより、検出データと関連付けるための環境データ（時刻情報、位置情報）を容易に取得することができる。
【００９１】
（１１）本実施形態の第１検出システム３によれば、領域毎に、検出データと時刻情報が分類されることで、その領域での検出データを確認することができ、アレルギー反応が生じることが多い領域を認識することができる。これにより、使用者に対して、例えば、アレルギー反応が生じることが多い領域には行かない等の回避行動を取ることを促すことができる。また、検出データが時系列で保存されることで、その領域でのアレルギー反応が生じた時刻を時系列に確認や比較を行うことができる。これにより、アレルギー反応と時刻との関係を知ることができ、アレルギー反応が時刻と因果関係が有りそうだと使用者が判断する場合には、例えば、その時刻にその領域に行かないこと等の回避行動をとることを促すことができる。
【００９２】
（１２）本実施形態の第１検出システム３によれば、所定のアレルギー反応物質（ヒスタミン）が検出された場合に検出データを保存することにより、検出データを全て保存する場合に比べ、記憶容量を少なくすることができる。また、ヒスタミンが検出された検出データと、その時の時刻情報や位置情報とを関連付けることで、ヒスタミンによるアレルギー疾患を予防させることができる。
【００９３】
（１３）本実施形態の第１検出システム３によれば、アレルギー反応のレベル（ヒスタミンの濃度）を表示するため、使用者に対して、更に的確な情報を知らせることができる。
【００９４】
〔第２実施形態〕
本実施形態の第１検出システム３Ａは、第１実施形態の第１検出システム３（第１処理装置２）における処理の一部を変更していることが第１実施形態と異なるところである。言い換えると、ＣＰＵ上で実行されるコンピュータープログラムの一部が変更されている。
【００９５】
図８は、第２実施形態に係る第１検出システム３Ａでの動作を示すフローチャートである。なお、第１実施形態のフローチャートと異なる箇所は、ステップＳ２０４での、アレルギー反応の確認の結果、検出データがアレルギー反応によるデータでは無い（アレルギー反応が無い：アレルギー反応による最低レベルの基礎データより小さい）場合（ステップＳ２０４：ＮＯ）における以降の処理となる。以降では、異なる部分を説明する。
【００９６】
図８に示すように、ステップＳ２０４において、検出データがアレルギー反応によるデータでは無い（アレルギー反応が無い）場合（ＮＯ）には、次に、この検出データに関連付けられた位置情報に基づき、以前に保存しているデータが有るか否かを判断する（ステップＳ３０１）。詳細には、この位置情報に対応する領域にデータが有るか無いかを判断する。
【００９７】
判断の結果、保存データが有る（ステップＳ３０１：ＹＥＳ）場合には、次に、その保存しているデータを削除する（ステップＳ３０２）。そして、ステップＳ２０１に戻り、受信を待つ状態に移行する。また、保存データが無い（ステップＳ３０１：ＮＯ）場合には、ステップＳ２０１に戻り、受信を待つ状態に移行する。
【００９８】
上述した実施形態によれば、第１実施形態での効果を同様に奏することができる他、以下の効果が得られる。
（１）本実施形態の第１検出システム３Ａによると、検出データにアレルギー反応が無い場合には、以前の保存データを削除することで、アレルギー反応が改善されていることを容易に判断することができる。
【００９９】
〔第３実施形態〕
本実施形態の第１検出システム３Ｂは、第１実施形態の第１検出システム３（第１処理装置２）における処理の一部を変更していることが第１実施形態と異なるところである。言い換えると、ＣＰＵ上で実行されるコンピュータープログラムの一部が変更されている。
【０１００】
図９は、第３実施形態に係る第１検出システム３Ｂでの動作を示すフローチャートである。なお、第１実施形態のフローチャートと異なる箇所は、アレルギー反応が有るか無いかの判断（第１実施形態でのステップＳ２０４）を入れないところである。以降では、異なる部分を説明する。
【０１０１】
図９に示すように、ステップＳ２０３において、アレルギー反応の確認を行い、検出データがアレルギー反応によるデータで有る（アレルギー反応が有る）場合と、検出データがアレルギー反応によるデータでは無い（アレルギー反応が無い）場合とを分ける処理を行う。次に、アレルギー反応が有る場合には、ステップＳ２０５において、アレルギー反応レベルの確認（第１実施形態と同様の処理）を行い、ステップＳ４０１に移行してデータ解析を行う。
【０１０２】
データ解析を行う（ステップＳ４０１）ことにより、検出データや取得した時刻情報は、所定の位置情報に基づいて分類される。詳細には、本実施形態では、第１実施形態と同様に、取得した位置情報による位置を中心として所定の半径（例えば１０ｍ）により領域を設定する。そして、設定した領域に対して、検出データや取得した時刻情報を関連付けて分類する。なお、領域が設定された後には、次回からの検出データが、この領域の範囲内に位置する場合には、この領域に対応する検出データ、時刻情報として関連付け、分類して処理される。
【０１０３】
第１実施形態の第１検出システム３と異なるのは、分類する時、アレルギー反応が有った検出データと、アレルギー反応が無かった検出データとを含め、それぞれに対応する時刻情報を関連付けて分類するところである。なお、第１実施形態では、アレルギー反応が有った検出データのみを分類している。また、アレルギー反応が有る場合には、第１実施形態と同様に、アレルギー反応レベルを分類する。
【０１０４】
また、次回からの検出データが、この領域の範囲外に位置する場合には、第１実施形態と同様に、この位置を含む新たな領域が設定され、その新たな領域に対して、検出データや取得した時刻情報を関連付けて分類する。この場合にも、アレルギー反応が有った検出データと、アレルギー反応が無かった検出データとを含め、それぞれに対応する時刻情報を関連付けて分類する。
【０１０５】
なお、第１処理装置２に液晶パネルやＥＬ（Electro Luminescence）素子等で構成される表示部を備える場合には、領域毎に時系列でアレルギー反応の有る/無しを表示させることができる。なお、本実施形態では、例えば、検出データの表示として、中程度のレベルより小さい場合「○」と表示し、中程度のレベル以上の場合「◎」と表示される。また、アレルギー反応が無かった場合には、「無し」と表示される。
【０１０６】
次に、ステップＳ４０２に移行して、データ解析された検出データ、位置情報、および時刻情報を保存（データ保存）する。その後は、ステップＳ２０１に戻り、検出データを待つ状態に移行する。
【０１０７】
上述した実施形態によれば、第１実施形態での効果を同様に奏することができる他、以下の効果が得られる。
（１）本実施形態の第１検出システム３Ｂによると、領域毎に時系列で、アレルギー反応が有ったのか無かったのかを表示することができる。これにより、例えば、ある領域において、時系列でみた場合、「無し」の表示が多くなれば、その領域では、アレルギー反応が発生し難くなり、改善されていると判断でき、反対に、「有り（○，◎）」の表示が多くなれば、その領域では、アレルギー反応が発生しやすくなっていると判断することができる。また、アレルギー反応が有りの場合にも、「◎」が増えていれば改善されておらず、「◎」に対して「○」が増えていれば改善されていると判断できる。このように、使用者は、例えば、アレルゲンから回避または無くす対策を実施している場合、その対策に効果があるのか否かを判断することができる。
【０１０８】
〔第４実施形態〕
図１０は、第４実施形態に係る第２検出システム５の概構成を示す図である。
本実施形態の第２検出システム５は、上述した第１実施形態の第１検出システム３に対して、その複数の第１検出システム３と接続する第２処理装置４を備えた構成のシステムとなる。
【０１０９】
第２処理装置４は、いわゆるサーバー等で構成される。第２処理装置４は、複数の第１検出システム３を構成する複数の第１処理装置２と接続し、第１処理装置２からの検出データ、環境データ（位置情報、時刻情報）を受信して保存する。本実施形態では、第１実施形態での図７に示す、アレルギー反応レベル確認（ステップＳ２０５）の後、第１処理装置２から第２処理装置４にデータを送信している。
【０１１０】
第２処理装置４と第１処理装置２とは、無線ＬＡＮ回線、携帯電話回線、及びインターネット回線などの電気通信回線を通じて双方向で接続される。第２検出システム５では、第１検出システム３を使用している複数の使用者のデータを統合して記憶し管理する。これにより、複数の使用者のデータを活用することができる。なお、第２検出システム５では、Ｗｅｂアプリケーションにより、第２処理装置４と複数の第１処理装置２とが動作を行う。
【０１１１】
第２処理装置４は、複数の第１処理装置２から受信した複数の検出データと環境データ（位置情報、時刻情報）とにより、アレルギー反応が検出される位置領域（領域）を設定し、併せて時系列に分類する。そして、アレルギー反応が検出される領域及び時刻情報を、それぞれの第１処理装置２に送信する。第１処理装置２を使用する使用者は、その受信したデータを確認することができる。
【０１１２】
また、第２検出システム５において、第１処理装置２は、地図情報を第２処理装置４から取得し、取得した地図上にアレルギー反応が検出される領域をマッピングし、表示部を介して表示させることができる。なお、地図上にアレルギー反応が検出される領域をマッピングすることを、第２処理装置４が行うことでもよい。使用者は、第１処理装置２の表示部に表示される地図を確認することで、アレルギー反応が検出されている場所（アレルゲンに接触する可能性が大きい場所）を確認することができる。
【０１１３】
また、第１処理装置２が、音を出力する素子、光を射出する素子、振動を発生する素子等により構成される警報部を備える場合、使用者の現在位置が、アレルギー反応が検出される領域内に位置している場合には、警報部を介して、使用者にアレルゲンに接触する可能性が大きいことを警報することができる。また、使用者の現在位置が、アレルギー反応が検出される領域の近辺に位置している場合にも、警報部を介して、事前に使用者に警報することができる。
【０１１４】
上述した実施形態によれば、第１実施形態での効果を同様に奏することができる他、以下の効果が得られる。
（１）本実施形態の第２検出システム５によると、複数の第１検出システム３と、第２処理装置４とでシステムが構成され、第２処理装置４は、複数の第１処理装置２と接続し、それぞれの第１処理装置２からの検出データ、環境データを受信して保存する。これにより、複数の第１検出システム３で得られた検出データや環境データを、第２処理装置４に保存することができる。
【０１１５】
（２）本実施形態の第２検出システム５によると、複数の第１検出システム３で得られた検出データや環境データに基づいて、アレルギー反応物質が検出される領域（設定した領域）を第１処理装置２に送信することで、第２検出システム５を使用する使用者に対して、他の使用者のデータも含めたアレルギー発症場所を予め知らせることが可能となる。これにより、使用者は、他の使用者のデータを利用することができ、日常生活において安心して行動範囲を広げることができる。
【０１１６】
（３）本実施形態の第２検出システム５によると、第２検出システム５を使用する使用者に対して、警報することで、現在の位置が、アレルギー反応物質が検出される領域内であり、アレルギー症状を発症しやすい位置（アレルゲンに接触する可能性が大きい場所）であることを認識させることができる。これにより、使用者に対して、日常生活の中で常に第１処理装置２を確認しながら行動するという不便さを解消することができる。
【０１１７】
〔第５実施形態〕
図１１は、第５実施形態に係る検出ユニット７Ｄの概構成を示す図である。本実施形態の検出ユニット７Ｄにおいて、第１実施形態の検出ユニット７に対して異なるところは、流路７７上に圧電部材７９を備えているところである。
【０１１８】
圧電部材７９は、本実施形態では、添加部７３の流路７７と接続する位置と混合液流路部７７１が開始する位置との間の流路７７に対応させて設置している。また、圧電部材７９は、カバー部材７８の前記流路７７に相対する表面に設置されている。
【０１１９】
第１実施形態の検出ユニット７では、血液は、毛細血管等を含めた体内の圧力により検出ユニット７の内部を流動している。これに対して、本実施形態の検出ユニット７Ｄでは、圧電部材７９を用いて積極的に血液を流動させる構成としている。
【０１２０】
また、検出ユニット７Ｄの初期状態（穿刺した採血針７１１が、まだ採血を開始していない状態）で、採血針の先端から、採取部７１、分離部７２、および圧電部材７９が設置される流路部分までの領域には、流体が充填されている。なお、この位置に圧電部材７９を設置することにより、圧電部材７９を更に下流側に設置する場合に比べて、充填する液体の量を少なくすることができる。
【０１２１】
充填される液体は、本実施形態では、点滴などにも使用される生理食塩水を用いている。また、液体は、生理食塩水を主成分として、血液中の凝固作用成分に対して抗凝固薬を添加することが望ましい。抗凝固薬としては、例えば、ＥＤＴＡ（エチレンジアミン四酢酸）、クエン酸、シュウ酸、フッ化ナトリウム、ＡＣＤ（Acid Citrate Dextrose solution）等が好ましい。
【０１２２】
また、測定部１１には、圧電部材７９を駆動する圧電部材駆動部（図示省略）を備えている。圧電部材駆動部は、制御部１１１等が実装される回路基板（図示省略）上に実装され、電気的に圧電部材７９と接続されている。圧電部材駆動部は、制御部１１１の指示により、初期状態での検出ユニット７Ｄに対して、圧電部材７９を駆動する。そして、圧電部材７９が動作することでカバー部材７８を厚さ方向へ変位させることにより、流路７７中の充填された液体は、流路７７を下流側に流動し、併せて採血針７１１を介して血液が血液貯留部７１２に移動する。
【０１２３】
なお、このように構成される検出ユニット７Ｄを備えて第１実施形態と同様に検出装置１Ｄ（第１実施形態の検出装置１に対応する）が構成される。そして、検出装置１Ｄは、第１実施形態と同様に、図示省略するタイマーを備えており、圧電部材駆動部は、制御部１１１の指示により、本実施形態では、所定間隔として５分間隔毎に圧電部材７９を駆動する。この動作に同期させて、検出装置１Ｄは５分間隔毎に検出データを取得する。
【０１２４】
なお、本実施形態では、この検出装置１Ｄを備えて第１実施形態と同様に第１検出システム３Ｄ（第１実施形態の第１検出システム３に対応する）が構成される。第１検出システム３Ｄの動作は第１実施形態と同様となる。
【０１２５】
また、本実施形態の検出装置１Ｄは、装着期間を１週間程度としており、１週間経過後には、新たな検出装置１Ｄに取り替えて装着する仕様となっている。そのため、試薬貯留部７３１および混合液貯留部７６１は、１週間の動作を保障する容量を備えている。
【０１２６】
本実施形態の検出装置１Ｄにおいて、例えば、試薬貯留部７３１の大きさ（幅、長さ、厚さ）は、概略、２０ｍｍ，２０ｍｍ，０．１ｍｍとしている。混合液貯留部７６１の大きさ（幅、長さ、厚さ）は、概略、２０ｍｍ，２０ｍｍ，０．５ｍｍとしている。また、混合液流路部７７１の大きさ（幅、厚さ、長さ）は、概略、０．１ｍｍ，０．１ｍｍ，１０ｍｍとしている。
【０１２７】
上述した実施形態によれば、第１実施形態での効果を同様に奏することができる他、以下の効果が得られる。
（１）本実施形態の検出ユニット７Ｄ、検出装置１Ｄ、第１検出システム３Ｄによると、圧電部材７９を備え、流路７７を充填する液体を備えることにより、確実で安定して血液を採取でき、検出データの取得を行うことができる。また、所定間隔（本実施形態では５分間隔）ごとに血液を採取することでよいため、装着期間を延ばすことが可能となる。
【０１２８】
〔第６実施形態〕
図１２は、第６実施形態に係る検出ユニット７Ｅの概構成を示す図である。本実施形態の検出ユニット７Ｅにおいて、第１実施形態の検出ユニット７に対して異なるところは、流路７７上に圧電部材７９を備え、混合液貯留部７６１上に第２圧電部材８０を備えているところである。
【０１２９】
圧電部材７９は、本実施形態では、前述した第５実施形態と同様に、添加部７３の流路７７と接続する位置と混合液流路部７７１が開始する位置との間の流路７７に対応させて設置している。また、圧電部材７９は、カバー部材７８の前記流路７７に相対する表面に設置されている。
【０１３０】
第２圧電部材８０は、本実施形態では、排出部７６の混合液貯留部７６１に相対するカバー部材７８の表面に設置されている。第１実施形態の検出ユニット７では、血液は、毛細血管等を含めた体内の圧力により検出ユニット７の内部を流動している。これに対して、本実施形態の検出ユニット７Ｅでは、第２圧電部材８０を用いて積極的に血液を吸い込む構成としている。
【０１３１】
検出ユニット７Ｅの初期状態（穿刺した採血針７１１が、まだ採血を開始していない状態）で、採血針の先端から、採取部７１、分離部７２、および混合液貯留部７６１の入口迄の領域には、流体が充填されている。液体は、第５実施形態と同様に、生理食塩水を用いている。
【０１３２】
また、測定部１１には、第２圧電部材８０を駆動する第２圧電部材駆動部（図示省略）を備えている。第２圧電部材駆動部は、制御部１１１等が実装される回路基板（図示省略）上に実装され、電気的に第２圧電部材８０と接続されている。第２圧電部材駆動部は、制御部１１１の指示により、初期状態での検出ユニット７Ｅに対して、第２圧電部材８０を駆動する。そして、第２圧電部材８０が動作することで、混合液貯留部７６１の容量を増やす方向にカバー部材７８を変位させる。この動作により、混合液貯留部７６１の領域が負圧となり、充填されている液体は、流路７７を下流側に流動し、併せて採血針７１１を介して血液が血液貯留部７１２に移動する。
【０１３３】
また、測定部１１には、第５実施形態と同様に、圧電部材７９を駆動する圧電部材駆動部（図示省略）を備えている。圧電部材駆動部は、制御部１１１等が実装される回路基板（図示省略）上に実装され、電気的に圧電部材７９と接続されている。そして、圧電部材駆動部は、制御部１１１の指示により、検出ユニット７Ｅに対して、圧電部材７９を駆動する。
【０１３４】
なお、このように構成される検出ユニット７Ｅを備えて第１実施形態と同様に検出装置１Ｅ（第１実施形態の検出装置１に対応する）が構成される。そして、検出装置１Ｅは、第１実施形態と同様に、図示省略するタイマーを備えており、圧電部材駆動部は、制御部１１１の指示により、本実施形態では、所定間隔として５分間隔毎に圧電部材７９を駆動する。この動作に同期させて、検出装置１Ｅは５分間隔毎に検出データを取得する。
【０１３５】
なお、本実施形態では、この検出装置１Ｅを備えて第１実施形態と同様に第１検出システム３Ｅ（第１実施形態の第１検出システム３に対応する）が構成される。第１検出システム３Ｅの動作は第１実施形態と同様となる。
【０１３６】
上述した実施形態によれば、第１実施形態での効果を同様に奏することができる他、以下の効果が得られる。
（１）本実施形態の検出ユニット７Ｅ、検出装置１Ｅ、第１検出システム３Ｅによると、第２圧電部材８０を備え、流路７７を充填する液体を備えることにより、初期状態から動作を開始した場合、確実に血液を吸い込む構成とすることができる。その後、圧電部材７９の動作により、安定して血液を採取でき、検出データの取得を行うことができる。また、所定間隔（本実施形態では５分間隔）ごとに血液を採取することでよいため、装着期間を延ばすことが可能となる。
【０１３７】
なお、上述した実施形態に限定されず、その要旨を逸脱しない範囲において種々の変更や改良等を加えて実施することが可能である。変形例を以下に述べる。
【０１３８】
上記各実施形態において、検出装置１，１Ｄ，１Ｅに時刻測定部を備えることでもよい。この場合、検出データを取得した時点における時刻情報を取得して、検出データ及び時刻情報を送信部１５から第１処理装置２に送信することでもよい。その場合、第１処理装置２では、検出データ、時刻情報を受信し、その後は、第１処理装置２により処理することができる。なお、検出装置１，１Ｄ，１Ｅに記憶部を備え、検出した検出データと時刻情報とを保存することでもよい。この構成とすることで、第１処理装置２が動作していなかった場合（電池切れ、スイッチの入れ忘れ等）でも、検出装置１，１Ｄ，１Ｅに検出データと、検出した時点の時刻情報を保存できることで、その後の対応を取ることができ、検出データを無駄にすることが無い。これらにより、検出装置１，１Ｄ，１Ｅの利便性が向上する。
【０１３９】
上記各実施形態において、検出装置１，１Ｄ，１ＥにＧＰＳを備えることでもよい。この場合、検出装置１，１Ｄ，１Ｅで検出データを取得した時点における位置情報、時刻情報を取得する。そして、検出データ、位置情報、時刻情報を送信部１５から第１処理装置２に送信することでもよい。その場合、第１処理装置２では、検出データ、位置情報、時刻情報を受信し、その後は、第１処理装置２により処理することができる。なお、検出装置１，１Ｄ，１Ｅに記憶部を備え、検出した検出データと位置情報、時刻情報を保存することでもよい。この構成とすることで、第１処理装置２が動作していなかった場合でも、検出装置１，１Ｄ，１Ｅに検出データと、検出した時点の位置情報、時刻情報とを保存できることで、その後の対応を取ることができ、検出データを無駄にすることが無い。これらにより、検出装置１，１Ｄ，１Ｅの利便性が向上する。
【０１４０】
上記各実施形態において、検出ユニット７，７Ｄ，７Ｅには、１本の採血針７１１が設置されている。しかし、これに限られず、細い径の採血針７１１を複数本設置することでもよい。この構成にすることで、採血針７１１を皮膚に穿刺する場合、使用者への痛みを緩和させる効果が期待できる。また、細い採血針７１１を複数本設置することにより、アレルギー反応物質を検出するのに必要な血液量を確保することができる。
【０１４１】
上記各実施形態において、光照射部７４は、光検出部７５の上流側に配置され、光検出部７５は、光照射部７４の下流側に配置される。しかし、光照射部７４、光検出部７５は、設置位置を逆転してもよい。また、
【０１４２】
上記第４実施形態の第２検出システム５は、第１検出システム３と、第２処理装置４とでシステムが構成されている。しかし、これに限られず、第２検出システム５は、第２、第３実施形態で示した第１検出システム３Ａ，３Ｂと、第２処理装置４とでシステムを構成してもよい。これにより、第４実施形態と同様の効果を奏することができる。
【０１４３】
上記第５、第６実施形態における第１処理装置２の処理（フローチャート）として、第２、第３実施形態における処理（フローチャート）を適用することでもよい。これにより、第２、第３実施形態と同様の効果を奏することができる。また、上記第５、第６実施形態における第１検出システム３Ｄ，３Ｅを、第４実施形態での第２処理装置４と併せて、第２検出システム５に対応する検出システムを構成することでもよい。これにより、第４実施形態と同様の効果を奏することができる。
【０１４４】
上記第５実施形態の検出ユニット７Ｄにおいて、圧電部材７９は、添加部７３の流路７７と接続する位置と混合液流路部７７１が開始する位置との間の流路７７に対応させて設置している。しかし、これに限られず、圧電部材７９は、混合液流路部７７１の終点位置から混合液貯留部７６１に至る間の流路７７に対応させて設置してもよい。これは、第６実施形態の検出ユニット７Ｅにおいても同様となる。これにより、第４実施形態と同様の効果を奏することができる。また、このような場所に設置することにより、液体を混合液貯留部７６１に流動させやすくすることができる。なお、この他に、圧電部材７９は、流路７７全体の長さの真ん中の位置に設置してもよい。
【０１４５】
上記第１〜第３実施形態の第１検出システム３，３Ａ，３Ｂにおいて、検出装置１は送信部１５を備え、第１処理装置２は受信部を備えて無線通信により接続される構成となっている。しかし、これに限られず、送信部、受信部は、コネクターなどの物理的な接続で電気的に接続される構成としてもよい。これは、第５、第６実施形態の第１検出システム３Ｄ，３Ｅにおいても同様となる。
【符号の説明】
【０１４６】
１，１Ｄ，１Ｅ…検出装置、２…第１処理装置、３，３Ａ，３Ｂ，３Ｄ，３Ｅ…第１検出システム、４…第２処理装置、５…第２検出システム、７，７Ｄ，７Ｅ…検出ユニット、１１…測定部、１５…送信部、６０…皮膚表面、７０…ベース基板、７１…採取部、７２…分離部、７３…添加部、７４…光照射部、７５…光検出部、７６…排出部、７７…流路、７８…カバー部材、７９…圧電部材、８０…第２圧電部材、１０１…ケース、１０２…粘着パッド、１１１…制御部、１１４…Ａ/Ｄ変換部、７１１…採血針、７１１ａ…採血流路、７１２…血液貯留部、７２１…フィルター、７３１…試薬貯留部、７４１…発光素子、７５１…受光素子、７６１…混合液貯留部、７７１…混合液流路、７７２…反射部。
【図１】
2017156259.tif 000003
【図２】
2017156259.tif 000004
【図３】
2017156259.tif 000005
【図４】
2017156259.tif 000006
【図５】
2017156259.tif 000007
【図６】
2017156259.tif 000008
【図７】
2017156259.tif 000009
【図８】
2017156259.tif 000010
【図９】
2017156259.tif 000011
【図１０】
2017156259.tif 000012
【図１１】
2017156259.tif 000013
【図１２】
2017156259.tif 000014